(57)【要約】      （修正有）【課題】上半身衣としての着用と下半身衣の着用の兼用を転用でき、前後を区別せずに着用できる子供服を提供する。【解決手段】前身と後身を同じ寸法で作成し前後の着用に区別ないようにして、首周りの開口部にコードゴムを通して微調節することで上半身衣としての着用と下半身衣の着用の兼用を可能にし、下半身衣として着用するときは前身、後身の中央に設けた釦による開閉機能で下部部分のみ左右を切り離して、前面部と後面部とを左側同士および右側同士で夫々留め合わせて左右別々の脚収容部である股下を形成し、左右裾部分に通したコードゴムと、それに取付けた調節用ストッパーで脚の寸法に合った袖口を設定する。【選択図】図１
0003171145.tif 000002
【実用新案登録請求の範囲】
【請求項１】
この考案は、前身と後身を同じ寸法で作成し前後の着用に区別がないようにし、首周りの開口部にコードゴムを通して微調節することで上半身衣としての着用と下半身衣の着用の兼用を可能にし、下半身衣として着用するときは前身、後身（便宜上の表現）の中央に設けた釦による開閉機能で下部部分のみ左右を切り離して左右の股下部分を形成し、左右の股下部分の前面部と後面部とを左側同士および右側同士で夫々留め合わせて左右別々の脚収容部に形成可能にして左右裾にあたる部分にもコードゴムを通して微調節することで脚の寸法に合った裾口にできることを特徴とする子供服。
【請求項２】
請求項１に記載の子供服において、上半身衣として着用する際の袖部分にあたる筒状部分を内側に押し込み、ポケット口のような形状に収め、袖部分に取り付けたポケットが実質的なポケットの機能を持つことを特徴とする子供服。
【考案の詳細な説明】
【技術分野】
【０００１】  この考案は、幼児・子供服において  １着で上半身衣と下半身衣を兼用でき、前身と後身を区別しない着用に適用して有効な被服に関するものである。
【背景技術】
【０００２】  従来の子供服の２ＷＡＹ（多目的利用）考案は長期間に着用可能な考案（着用方法を変化させる）や季節の変化に合わせることのできる考案（長袖を半袖にするもの、袖自体を着脱できるもの、半ズボンを長ズボンにできる）というものである。
【特許文献１】特開１０−３１０９１７
【特許文献２】特開  ８−１１３８０７
【特許文献３】実開  ５−３５８０９
【特許文献４】特開２００５−３０７３６６
【考案の開示】
【考案が解決しようとする課題】
【０００３】  幼児、子供を伴って外出する場合、例えば行楽やショッピングに出かける場合には着替えを所持しておかないといけないことが多い。小さい児は上衣を汚す、下衣を汚すなど、予想がつかない事態をおこすことがある。しかしながら上衣と下衣の両方を常に持ち歩くことは労力が必要であり、着替えの上衣は持ってきたが下衣がない、またはその逆も考えられる。１着で上半身衣と下半身衣を兼用でき、さらに急いでいるときに前後を気にせず簡単に着用できることを目的とする。
【課題を解決するための手段】
【０００４】この考案の手段は、前身と後身を同じ寸法で作成し前後の着用に区別がないようにし、首周りの開口部にゴムコードを通して微調節することで上半身衣としての着用と下半身衣としての着用の兼用を可能にし、下半身衣として着用するときは前身、後身（便宜上の表現）の中央に設けた釦による開閉機能で下部部分のみ左右を切り離して左右の股下部分を形成し、左右の股下部分の前面部と後面部とを左側同士および右側同士で夫々留め合わせて左右別々の脚収容部に形成可能にして左右裾にあたる部分にもゴムコードを通して微調節することで、脚の寸法に合った裾口にできることを特徴とする。（請求項１）
【考案の効果】
【０００５】普段着としても着用可能なデザインであるうえに着替えが必要な時に上衣にも下衣にすることが可能で、しかも前後の着用に区別ない衣類は、特に緊急時には大変有効かつ実用的である。
【考案を実地するための最良の形態】
以下本考案の形態を示す図面に基づき説明する。
【実施例】
【０００６】図１に示す上半身衣（左図Ａ）は、請求項１の記述のようにした下半身衣（右図Ｂ）の形態になる。以降、前身および後身は便宜上の表現である。【０００７】図１に示す左図Ａの本体１には筒状の袖２は縫合されており、これによって腕を通すように形成されている。衿３は頭、首を通す開口部は、図２で示すように衿部を２つ折りにして袋状に本体に縫合し、中にコードゴム７を通す。衿３の前中心に穴６を２つ開けコードゴムを衿３に一周させて長さ調節用のアジャスター８を取り付け、首を通す開口寸法の微調節を可能にする。本体１には裾から開き止り１２部分までベンツがあり、図４に示すような開口部を前身、後身に設けて、下半身衣として着用するときの股下部分が形成できるように考案されている。裾部分には図３に示すように縫合された右前身と右後身、左前身と後左身の各脇に穴９を開けコードゴム１０を通し、各部分に長さ調節用のアジャスター１１を取り付け、脚を通す開口寸法の微調節を可能にする。さらに図８で示すように前身と後身の寸法を同寸にすることで前後を区別しないで着用を可能にする。【０００８】図４に示すように裾に設けられた開口部は図５のように長方形のテープ状のもの１４で持ち出しと見返しを兼用させ、それにスナップ１５（左前身）、スナップ１６（右前身）、スナップ１７（左後身），スナップ１８（右後身）を取り付ける。これにより、下半身衣として着用するときの股下部分が形成できるようにし、上半身衣として着用するときは、左右前身、左右後身で閉じておけるようにする。スナップには凹凸形がありスナップ１５と１７は同形（凹形）、スナップ１６と１８は同形（凸形）を取り付ける。その逆の形を取り付けても組み合わせを間違わなければ可能である。【０００９】図６に示すように袖２を本体１に収納した際、袖２はポケット袋のような形状になるが袖口は開いたままなのでポケットとしての機能は果たさない。そこで図１に示すように袖２にはポケットが縫合されており、図９で示すようにポケットに取り付けたスナップ５と袖下部に取り付けたスナップ１９を留め合わせ、これによって筒状の袖に簡易のポケット布を形成する。これが実質のポケット機能を果たすことになる。【００１０】下半身衣として着用するときは図６に示すように  裾から開き止り１２部分までのベンツ開きを前左身と後左身をスナップ１５とスナップ１８で接合させ、右前身と右後身をスナップ１６とスナップ１７で接合させ、左右の袖を本体１に収納させることにより図７の形態にする。
【図面の簡単な説明】
【図１】本考案の実施の形態を示す概略正面図である。
【図２】同実施の形態の衿部分を示す概略正面図である。
【図３】同実施の形態の裾部分を示す概略側面図である。
【図４】同実施の形態の本体１の裾部分スナップをはずした概略正面図である。
【図５】同実施の形態の図４を拡大した概略正面図である。
【図６】同実施の形態の下半身衣の状態のする概略正面図である。
【図７】同実施の形態の図１の右図Ｂを示す概略正面図である。
【図８】同実施の形態の前後（便宜上）を示す概略正面図である。
【図９】同実施の形態の袖２を本体１に収納したときのポケットを示す概略図である。
【符号の説明】  １
２
３
４  本体
５  袖
６  衿
７  ポケット（袖ポケット）
８  スナップ（袖ポケット用）
９  穴（コードゴム通し）
１０  コードゴム
１１  アジャスター（調節用ストッパー）
１２  穴（コードゴム通し）
１３  コードゴム
１４  アジャスター（調節用ストッパー）
１５  裾からの開き止まり
１６  後身
１７  持ち出し見返し用テープ
１８  左前身用スナップ
１９  右前身用スナップ
左後身用スナップ
右後身用スナップ
袖下に取り付けたポケット形成用スナップ
【図１】
0003171145.tif 000003
【図２】
0003171145.tif 000004
【図３】
0003171145.tif 000005
【図４】
0003171145.tif 000006
【図５】
0003171145.tif 000007
【図６】
0003171145.tif 000008
【図７】
0003171145.tif 000009
【図８】
0003171145.tif 000010
【図９】
0003171145.tif 000011
【手続補正書】
【提出日】平成23年7月28日(2011.7.28)
【手続補正１】
【補正対象書類名】実用新案登録請求の範囲
【補正対象項目名】全文
【補正方法】変更
【補正の内容】
【実用新案登録請求の範囲】
【請求項１】
前身と後身を同じ寸法で作成して前後の着用に区別がないようにし、首周りの開口部にコードゴムを通して微調節することで上半身衣としての着用と下半身衣の着用の兼用を可能にし、下半身衣として着用するときは前身、後身の中央部、裾から身丈の３分の１の高さまでに設けた４対の釦による開閉機能で身頃の下部部分のみを左右を切り離して、さらに４対の釦で左身側同士および右身側同士の前面部と後面部を夫々留め合わせて左右別々の脚収容部分である股下を形成し、左右裾部分に通したコードゴムとそれに取付けた調節用ストッパーで脚の寸法に合った裾口を設定することを特徴とする子供服。
【請求項２】
請求項１に記載の子供服において、上半身衣として着用する際の袖部分のポケットに取り付けた凸型の釦と袖下部分に取り付けた凹型の釦は、袖部分にあたる筒状部分を内側に押し込んだときに向かい合う状態になり、ポケットの釦と袖下の釦を留め合わせてポケットを常に開いた状態にして、袖部分にあたる筒状部分を内側に押し込んだ際にできる口にポケット機能を設けることを特徴とする子供服。
【手続補正３】
【補正対象書類名】明細書
【補正対象項目名】００１２
【補正方法】変更
【補正の内容】
【００１２】  １  本体
２  袖
３  衿
４  袖ポケット
５  袖ポケット用スナップ
６  コードゴム通し穴
７  コードゴム
８  調節用ストッパー
９  コードゴム通し穴
１０  コードゴム
１１  調節用ストッパー
１２  裾からの開き止まり
１３  後身
１４  持ち出し見返し用テープ
１５  左前身用スナップ
１６  右前身用スナップ
１７  左後身用スナップ
１８  右後身用スナップ
１９  袖下に取り付けたポケット形成用スナップ